(57)【要約】【課題】振動を受けた場合でも、ソケットに螺合した口金部がソケットに対して緩むおそれが少なく、しかも、振動に対して揺れ難い灯具及び照明器具の提供を目的とする。【解決手段】本発明の照明装置１００は、天井壁Ｈに取り付けられたソケット１０４を有する照明装置本体１０１と、灯具１とを備えている。灯具１は、灯具本体２と、灯具本体２に係止された弾性を有するフランジ３とを備えている。灯具本体２の上端には、ソケット１０４に設けられた雌ネジ１０５に螺合する雄ネジ２４を有する口金部２３を備えている。フランジ３の上端は、灯具１の口金部２３がソケット１０４に螺合するに際して、天井壁Ｈに当接し、この当接に伴って、フランジ３に設けた底部３１が弾性を蓄えるように構成されている。【選択図】図１
2009129772.tif 000002
【特許請求の範囲】
【請求項１】
照明装置に用いられる灯具であって、灯具本体と、フランジとを備え、
灯具本体は、その先端側に、発光部を保持する発光保持部を備え、その基端側に、壁面に設けられた雌ネジを有するソケットに通電可能に接続する雄ネジを有する口金部を備え、
前記フランジは、灯具本体における前記発光保持部と口金部との間の部分に係止されているとともに、壁面当接部と、弾性部とを備え、
前記壁面当接部は、前記口金部が前記ソケットに螺合されるに際して前記壁面に当接し、
前記弾性部は、前記壁面当接部の壁面への当接に伴って弾性力が蓄えられるように構成されていることを特徴とする灯具。
【請求項２】
前記フランジは、灯具本体に係止された弾性を有する板状の底壁と、筒状の側壁とを備え、
前記壁面当接部は、前記側壁の上端面のほぼ全周に形成され、
前記弾性部は、底壁から構成されていることを特徴とする請求項１記載の灯具。
【請求項３】
請求項１または２記載の灯具と、照明装置本体とを備え、
前記照明装置本体は、前記ソケットを備えていることを特徴とする照明装置。
【発明の詳細な説明】
【技術分野】
【０００１】
本発明は、照明装置に用いる照明装置用の灯具及び照明装置に関するものである。
【背景技術】
【０００２】
従来から、照明装置に用いる照明装置用の灯具として種々のものが知られている。例えば、電球の口金部を螺合するための一対の端子点を包含するソケット部を有する雌側基部と，ランプソケット（ソケット）と螺合するための一対の端子点を包含する口金部を有する雄側基部とを、屈曲可能な連結アームで連結し、該連結アームに沿って設けた一対の導線にて前記雌側基部が有するソケット部の一対の端子点と前記雄側基部が有する口金部の一対の端子点とを電気的に導通させるようにしたランプホルダ（灯具）が提案されている。このように構成することにより、連結アームの屈曲方向を変化させることによって照明角度や照明位置を任意に調整することが可能となる（特許文献１参照）。
【特許文献１】特開平９−１３９１０７号公報
【発明の開示】
【発明が解決しようとする課題】
【０００３】
しかしながら、上記特許文献１のように、灯具が連結アーム等を備えたものとすると全体の重量が増し、地震等によってソケットとそれに螺合した口金部とが振動を受けると、ソケットに螺合した口金部がソケットに対して緩むおそれが高くなるとともに、灯具が口金部を中心に揺動し易くなり、天井に取り付けたソケットが壊れ、あるいは、天井から外れる恐れがある。
【０００４】
本発明は、振動を受けた場合でも、ソケットに螺合した口金部がソケットに対して緩むおそれが少なく、しかも、振動に対して揺れ難い照明装置用の灯具及び照明器具の提供を目的とする。
【課題を解決するための手段】
【０００５】
前記課題を解決するために、本発明の請求項１は、照明装置に用いられる灯具であって、灯具本体と、フランジとを備え、灯具本体は、その先端側に、発光部を保持する発光保持部を備え、その基端側に、壁面に設けられた雌ネジを有するソケットに通電可能に接続する雄ネジを有する口金部を備え、前記フランジは、灯具本体における前記発光保持部と口金部との間の部分に係止されているとともに、壁面当接部と、弾性部とを備え、前記壁面当接部は、前記口金部が前記ソケットに螺合されるに際して前記壁面に当接し、前記弾性部は、前記壁面当接部の壁面への当接に伴って弾性力が蓄えられるように構成されていることを特徴とする灯具を提供する。
【０００６】
請求項２のように、前記フランジは、灯具本体に係止された弾性を有する板状の底壁と、筒状の側壁とを備え、前記壁面当接部は、前記側壁の上端面のほぼ全周に形成され、前記弾性部は、底壁から構成されていることが好ましい。
【０００７】
請求項３のように、請求項１または２記載の灯具と、照明装置本体とを備え、前記照明装置本体は、前記ソケットを備えていることを特徴とする照明装置を提供する。
【発明の効果】
【０００８】
請求項１によれば、壁面当接部は、口金部がソケットに螺合されるに際してソケットの周部における壁面に当接し、弾性部は、その壁面当接部の壁面への当接に伴って弾性力が蓄えられるように構成されているため、互いに螺合した口金部の雄ネジとソケットの雌ネジとに弾性力がかかり、その結果、互いに螺合した口金部の雄ネジとソケットの雌ネジとが相互に回転し難くなり、振動を受けた場合でも、口金部の雄ネジがソケットの雌ネジに対して緩む恐れの少ないものにできる。
【０００９】
又、灯具本体の先端をソケットで支持し、灯具本体におけるソケットと発光保持部との間の部分をフランジで支持でき、灯具本体を２箇所で支持できる。従って、灯具本体を振動に対して揺れ難いものにできる。
【００１０】
請求項２によれば、フランジは、灯具本体に係止された弾性を有する板状の底壁と、筒状の側壁とを備え、壁面当接部は、前記側壁の上端面に形成されているため、壁面当接部は、壁面におけるソケットの全周部に渡って当接させることができる。これにより、互いに螺合した口金部の雄ネジとソケットの雌ネジとのほぼ全周に均等に弾性力をかけることができ、より確実に、口金部の雄ネジがソケットの雌ネジに対して緩みにくいものにできるとともに、灯具本体がどの方向に対しても揺れ難いものにでき、より一層、揺れ難いものにできる。
【００１１】
請求項３によれば、振動を受けた場合でも、ソケットに螺合した口金部がソケットに対して緩むおそれが少なく、しかも、灯具が揺れ難い照明器具を提供できる。
【発明を実施するための最良の形態】
【００１２】
以下、本発明を実施するための最良の形態について、図面を参照しながら詳細に説明する。
【００１３】
図１は、本発明の灯具を有する照明装置の一部を断面にした分解側面図である。まず、本発明の灯具１から説明する。
【００１４】
本発明の灯具１は、灯具本体２と、フランジ３とを備えている。灯具本体２は、長尺状の筒体２１と、発光部を保持する発光保持部２２とを備えている。筒体２１は、この実施形態では、円筒状のものから構成されている。又、筒体２１の長手方向の上端側（一端側）には、口金部２３と、フランジ３を係止するフランジ係止部２６とが設けられている。
【００１５】
口金部２３は、外周に雄ネジ２４を備えているとともに、上端面（一端面）に突起２５を備えている。これらの雄ネジ２４及び突起２５は、夫々、接続端子を構成する。
【００１６】
フランジ係止部２６は、灯具本体２の筒体２１と発光保持部２２との間の部分に設けられている。この実施形態では、フランジ係止部２６は、図２に示すように、口金部２３から所定距離だけ離れた口金部２３寄りの位置（下方位置）に、筒体２１の周方向の全周に渡って、筒体２１の外周から径方向に突設されている。
【００１７】
発光保持部２２は、筒体２１の下端側に回転自在に連結され、照射方向を変え得るようになっている。又、発光保持部２２は、図示しないが、上記口金部２３の雄ネジ２４及び突起２５の夫々に接続された給電線２４ａ、２５ａを介して、口金部２３から発光部に給電可能とされている。
【００１８】
尚、発光保持部２２に保持する発光部は、特に限定されず、例えば蛍光灯、無電極放電灯、あるいは、ＬＥＤ等を使用できる。又、発光保持部２２に、雌ネジを有するソケットを設けたものとし、口金部を有する電球等を保持するようにしても良く、適宜変更できる。
【００１９】
フランジ３は、弾性部としての底壁３１と、筒状の側壁３２とを備えている。底壁３１は、この実施形態では、全体が弾性を有する円板状のものから構成されているとともに、外周側に外部から力がかかると撓んで弾性を蓄えることができるような板厚のものからなる。
【００２０】
尚、フランジ３の材質は、特に限定されず、例えば金属、合成樹脂等から構成できる。又、底壁３１は、その全体を、弾性部として弾性を有するものから構成する形態のものに限らず、その一部に弾性部を有するものであっても良く、適宜変更できる。
【００２１】
又、底壁３１の中心部には、灯具本体２の口金部２３を挿通する口金部挿通孔３３を備えている。また、底壁３１における下面側（他面側）の口金部挿通孔３３の周部には、灯具本体２のフランジ係止部２６に係止される係止面３１ａを備えている。
【００２２】
側壁３２は、この実施形態では、円筒状のものからなり、その軸方向の下端側（一端側）が、底壁３１の上面側（一面側）に連結され、側壁３２の軸方向の上端側（他端側）に、底壁３１の上面から上方側に突出し後述する天井の壁面Ｈに当接する壁面当接部３４を備えている。
【００２３】
この実施形態では、側壁３２は、底壁３１の外周側の一部を、全周に渡って、底壁３１の上面側（一面側）に、側壁３２と底壁３１とが略同心になるようにして折り曲げ成形されることによって形成されている。
【００２４】
又、側壁３２における壁面当接部３４から係止面３１ａの距離Ｌ１は、後述する灯具１の口金部２３の突起２５とフランジ３の突起１０６とが当接した状態における灯具本体２のフランジ係止部２６から天井壁Ｈまでの距離Ｌ２（図３に図示）よりも長くなるように設定され、灯具１の口金部２３の突起２５とフランジ３の突起１０６とが当接する前に、側壁３２の壁面当接部３４が天井壁Ｈに当接するようになっている。
【００２５】
次に、照明装置１００について説明する。照明装置１００は、照明装置本体１０１と、灯具１とを備えている。灯具１は、上記のものと同構成のものが使用されている。
【００２６】
照明装置本体１０１は、電源部１０３と、ソケット１０４とを備えている。電源部１０３は、筐体１０２の内部における上側に保持されている。この実施形態で用いている筐体１０２は、下面側が開放された筒状体から構成されている。
【００２７】
そして、この筐体１０２は、建造物の壁面としての天井壁Ｈに設けられた照明装置用の装着孔Ｈ１に筐体１０２を、下方側から入れるようにして、筐体１０２の下端に設けた固定部１０２ａを壁面Ｈに、図示しないボルト等の固定手段よって固定することによって天井壁Ｈに装着されている。
【００２８】
ソケット１０４は、接続端子を構成する雌ネジ１０５及びその雌ネジ１０５の奥部に設けられた突起１０６を備えている。そして、このソケット１０４は、上記筐体１０２の内部における電源部１０３の下方側に保持されている。又、図示しないが、ソケット１０４の雌ネジ１０５及び突起１０６は、夫々、電源部１０３に、給電線１０７を介して通電可能に接続されている。
【００２９】
このように構成された照明装置本体１０１に、灯具１を取り付けるには、図１に示すように、灯具本体２のフランジ係止部２６にフランジ３を係止した状態で、灯具１の口金部２３の雄ネジ２４を、照明装置本体１０１のソケット１０４の雌ネジ１０５に螺合させて灯具１を回転させていく。
【００３０】
灯具１を回転させていくと、フランジ３の壁面当接部３４が天井壁Ｈにおける装着孔Ｈ１の周部に当接する。この状態から、更に灯具１を回転させていくと、図３に示すように灯具１の口金部２３の突起２５とフランジ３の突起１０６とが当接し、灯具１の発光保持部２２に照明装置本体１０１の電源部１０３から電力供給（通電）可能状態になるとともに、フランジ３の底壁３１が天井壁Ｈからの反力により押圧されて撓み、弾性を蓄える。
【００３１】
又、この弾性によって、灯具１の口金部２３の雄ネジ２４を、ソケット１０４の雌ネジ１０５に対して付勢する。これにより、地震等によって振動を受けた場合でも、螺合した口金部２３の雄ネジ２４とソケット１０４の雌ネジ１０５とが互いに緩み難いものにできる。尚、図３では、説明の都合上、底壁３１が撓んだ状態を、誇張して現しているが、実際は、目視で判らない程度の撓みである。以下の図４でも同様である。
【００３２】
また、フランジ３の壁面当接部３４が天井壁Ｈの装着孔Ｈ１の周部に当接しているため、地震等によって振動を受けた場合でも、灯具１が、横揺れし難いものにでき、螺合したソケット１０４を軸にして揺動し難いものにできる。又、その際、フランジ３の底壁３１と側壁３２とが略同心になるように形成されているため、側壁３２を灯具１の全周に渡ってほぼ同距離となる位置に配設でき、灯具１がどの方向に横揺れし始めても、確実に灯具１の横揺れを抑えることができる。
【００３３】
尚、上記実施形態では、ソケット１０４を、筐体１０２を介して天井の壁面Ｈに取り付けているが、この形態のものに限らず、適宜変更できる。例えば図４に示すようにソケット１０４を、天井の壁面Ｈに直接取り付けるとともに、ソケット１０４の雌ネジ１０５及び突起１０６を夫々、天井の壁面Ｈの裏側に設けた電源部１０３に、給電線１０７を介して接続するようにしても良い。
【００３４】
又、上記実施形態では、フランジ３は、底壁３１と側壁３２とから構成しているが、この形態のものに限らず、適宜変更できる。例えば底壁を、係止面から上方に傾斜する面を有するものとするとともに、その先端に壁面当接部を有するものとし、フランジを、弾性部としての底壁のみから構成するようにしても良い。
【００３５】
又、フランジ３を、底壁３１と側壁３２とから構成する場合において、側壁３２は、円筒状のものに限らず、多角筒状のものでも良く、適宜変更できる。
【００３６】
また、灯具１の口金部２３の雄ネジ２４の大きさ等は、例えば電球用のソケットとして従来から使用されている一般的なものに適合する形態のものであっても良いが、例えば既存のソケットに適合しない固有の雄ネジから構成するとともに、その雄ネジに螺合し得る雌ネジを有するソケットから構成するようにしても良く、適宜変更し得る。
【図面の簡単な説明】
【００３７】
【図１】本発明の一実施の形態の灯具を有する照明装置の一部を断面にした分解側面図である。
【図２】図１のＩＩ−ＩＩ線断面図である。
【図３】灯具を照明装置本体に取り付けた状態の一部を断面にした側面図である。
【図４】照明装置の他の実施形態の一部を断面にした側面図である。
【符号の説明】
【００３８】
１    灯具
２    灯具本体
３    フランジ
２３    口金部
２４    雄ネジ
３１    底壁（弾性部）
３２    側壁
３４    壁面当接部
１００    照明装置
１０１    照明装置本体
１０４    ソケット
１０５    雌ネジ
Ｈ    天井壁（壁面）
【図１】
2009129772.tif 000003
【図２】
2009129772.tif 000004
【図３】
2009129772.tif 000005
【図４】
2009129772.tif 000006